(57)【要約】【課題】  本発明は、乗用自動車のための降下可能な屋根１、特に、２座席−または多数座席のカブリオレ、ロードスター、等のための硬質屋根であって、この屋根が、屋根部材２、および、後方の、この屋根部材に鈍角において接続された支持ピラー３を備える、形状剛性なシェル体を有しており、これら支持ピラーによって、側方で、および、この屋根部材によって上側で境界されている、窓開口部ためのリヤウインドーガラスを有しており、車両長手軸線方向に対して横方向に、座席のすぐ後ろに位置している、別個の、第１および第２の、その内において一方ではこの屋根部材２がこの屋根部材の支持ピラー３と共に、および他方ではこのリヤウインドーガラス１１が案内および駆動手段によって進入および脱出可能である、格納室９を有しており、その際、この屋根部材２が、この屋根部材の支持ピラー３と共に、相応する格納室内において、円弧形状の案内軌道６の上を運動学的に強制案内されている、様式の上記屋根に関する。本発明の根底をなす課題は、冒頭に記載した様式の降下可能な屋根１を、必要な構造剛性が、比較的に僅かな重量、易機能性、および機械的な簡単性並びに操作可能性において、同時の場所を取らない構造様式のもとで達成されるように改良することである。【解決手段】  この課題は、第１の格納室９が、屋根部材２および支持ピラー３の下降および上昇移動によって相応して形成される移動曲線に沿って、座席グループ８のわきの領域内に至るまで延在し、その際、垂直方向に起立し、且つ車両長手軸線方向に対して平行に、支持板７によって、強固に車体構造に保持されたレール６が、この格納室９の内部で、側方で、この座席グループの傍らを通り過ぎる案内部を、支持ピラー３のために形成し、これら支持ピラーが、支持ピラー端部４に配設された案内スライダー５によって、レール（６）の上で案内されている。
2005519803.tif 000002
【特許請求の範囲】
【請求項１】
乗用自動車のための降下可能な屋根、特に、２座席−または多数座席のカブリオレ、ロードスター、等のための硬質屋根であって、この屋根が、
屋根部材、および、後方の、この屋根部材に鈍角において接続された支持ピラーを備える、形状剛性なシェル体を有しており、
窓開口部ためのリヤウインドーガラスを有しており、
車両長手軸線方向に対して横方向に、座席のすぐ後ろに位置している、別個の、第１および第２の、その内において一方ではこの屋根部材がこの屋根部材の支持ピラーと共に、および他方ではこのリヤウインドーガラスが案内および駆動手段によって進入および脱出可能である、格納室を有しており、
その際、この屋根部材が、この屋根部材の支持ピラーと共に、相応する格納室内において、案内軌道の上を運動学的に強制案内されている、
様式の上記屋根において、
第１の格納室（９）が、屋根部材（２）および支持ピラー（３）の下降および上昇移動によって相応して形成される移動曲線に沿って、座席グループ（８）のわきの領域内に至るまで延在し、その際、
垂直方向に起立し、且つ車両長手軸線方向に対して平行に、支持板（７）によって、強固に車体構造に保持されたレール（６）が、
この格納室（９）の内部で、側方で、この座席グループの傍らを通り過ぎる案内部を、支持ピラー（３）のために形成し、
これら支持ピラーが、支持ピラー端部（４）に配設された案内スライダー（５）によって、レール（６）の上で案内されているように構成されていることを特徴とする屋根。
【請求項２】
案内軌道は、アーチ状、有利には、円弧形状に形成されていることを特徴とする請求項１に記載の屋根。
【請求項３】
支持ピラー（３）は、支持要素（１４）によって、付加的に補強されているように構成されていることを特徴とする請求項１に記載の屋根。
【請求項４】
支持要素（１４）は、車体、または支持ピラー（３）に、降下可能に、内方へと、傾倒可能、及び／または回転可能に配設されていることを特徴とする請求項３に記載の屋根。
【請求項５】
屋根部材（２）は、この屋根部材の支持ピラー（３）でもって、モーターにより、第１の格納室（９）内において移動可能であるように構成されていることを特徴とする請求項１から４のいずれか一つに記載の屋根。
【請求項６】
屋根部材（２）は、２つに分割されて形成されており、その際、前方の屋根部材（１８）が、後方の屋根部材（１９）の上を通って摺動可能であるように構成されていることを特徴とする請求項１に記載の屋根。
【請求項７】
屋根案内スライダー（Ｔ）を有する、前方の屋根部材（１８）は、
これらスライダー（Ｔ）をグリップする継手アーム（ＬＮ  ）および（ＬＭ  ）によってこの前方の屋根部材（１８）内において配設された案内レール（Ｓ）に沿って、強制案内されているように構成されていることを特徴とする請求項６に記載の屋根。
【請求項８】
リヤウインドーガラス（１１）は、車両の水平方向の横方向軸線を中心にして、軽度に円弧形状に、湾曲され、または、回転対称的に成形されており、その際、このリヤウインドーガラスの凹状の側（１２）が、車両室内へと面して配設されていることを特徴とする請求項１から６のいずれか一つに記載の屋根。
【請求項９】
リヤウインドーガラス（１１）のための第２の格納室（１０）は、座席グループ（８）のすぐ後ろに配設されており、且つ、屋根部材（２）のための第１の格納室（９）の前に設けられており、その際、この格納室（１０）が、このリヤウインドーガラス（１１）の曲率に適合されていることを特徴とする請求項１から８のいずれか一つに記載の屋根。
【請求項１０】
リヤウインドーガラス（１１）は、第２の格納室（１０）内において、降下可能に配設されていることを特徴とする請求項１から９のいずれか一つに記載の屋根。
【請求項１１】
リヤウインドーガラス（１１）は、繰出された状態において、風隔壁であることを特徴とする請求項１から９のいずれか一つに記載の屋根。
【請求項１２】
リヤウインドーガラス（１１）は、周囲に延在する封隙条片を備えていることを特徴とする請求項１から１０のいずれか一つに記載の屋根。
【請求項１３】
屋根部材（２）は、回転対称的な構成を有しており、この構成が、ほぼ、第１の格納室（９）に相応することを特徴とする請求項１から１２のいずれか一つに記載の屋根。
【請求項１４】
屋根部材（２）の前方の領域は、転覆保護システム（１３）を備えており、且つ、この屋根が部分的に降下可能であるように構成されていることを特徴とする請求項１から１３のいずれか一つに記載の屋根。
【請求項１５】
レール（６）は、硬質の表面を有する、四角形成形体、四角形管体成形体、Ｕ字形、Ｃ字形、または二重Ｔ字形の成形体から成ることを特徴とする請求項１に記載の屋根。
【請求項１６】
案内スライダー（５）は、スライドシューまたはローラーを備えていることを特徴とする請求項１に記載の屋根。
【請求項１７】
案内スライダー（５）は、強固に、または回転可能に、支持ピラー（３）の端部（４）に配設されていることを特徴とする請求項１または１６に記載の屋根。
【請求項１８】
リヤウインドーガラス（１１）は、車体に、傾倒可能に配設されていることを特徴とする請求項１、または８から１２のいずれか一つに記載の屋根。
【請求項１９】
リヤウインドーガラス（１１）は、屋根シェル体の内側で平行に指向する案内部に、移動可能に配設されていることを特徴とする請求項１、または８から１２のいずれか一つに記載の屋根。
【発明の詳細な説明】
【技術分野】
【０００１】
本発明は、乗用自動車のための降下可能な屋根、特に、２座席−または多数座席のカブリオレ、ロードスター、等のための硬質屋根であって、
この屋根が、
屋根部材、および、後方の、この屋根部材に鈍角において接続された支持ピラーを備える、形状硬直なシェル体を有しており、
これら支持ピラーによって側方で、および、この屋根部材によって上側で境界されている、窓開口部ためのリヤウインドーガラスを有しており、
車両長手軸線方向に対して横方向に、座席のすぐ後ろに位置している、別個の、第１および第２の、その内において一方ではこの屋根部材がこの屋根部材の支持ピラーと共に、および他方ではこのリヤウインドーガラスが案内および駆動手段によって進入および脱出可能である、格納室を有しており、
その際、この屋根部材が、この屋根部材の支持ピラーと共に、レールの上で相応する格納室内において、円弧形状の軌道の上を運動学的に強制案内されている、
様式の上記屋根に関する。
【背景技術】
【０００２】
ドイツ連邦共和国特許公開第３６  ３２  ０５８号明細書（特許文献１）、即ち、ヨーロッパ特許公開第２６１  ３７９号明細書から、乗用自動車のための開閉可能な折たたみ屋根が公知であり、この屋根は、
閉鎖された状態でほぼ水平の、上側の屋根領域、および、この乗用自動車の背面側へと降下する、側部材を有する背面側の屋根領域を有し、
この背面側の屋根領域の２つの側部材のそれぞれの側部材において、この折たたみ屋根の閉鎖された状態において、互いに間隔をおいて、ほぼ窓下ラインの下側に位置しているそれぞれ２つの回転滑り軸受を有し、および、
それぞれ２つの、この乗用自動車の２つの側壁のそれぞれの側壁に対称的に配設された、その内にこの回転滑り軸受が係合している案内レールを有する、
一様で強固な、且つ安定性のある折たたみ屋根から成っている。
これらそれぞれ２つの案内レールは、これら案内レールの上側の端部でもって、所属して設けられた回転滑り軸受の間隔において位置しており、且つ、そこで、直接的に下方へと整向された経過を有しており、
その際、この間隔が、下方へとより僅かになり、従って、この折たたみ屋根の移動曲線が形成され、この移動曲線において、上側の屋根領域の開放移動の初めに跳ね上げられ、且つ、更なる移動の経過において、更に垂直方向の状態において、下方へと、この折たたみ屋根の最終状態へと案内される。
この回転滑り軸受は、第１の移動段階において、この案内レール内において、円弧上を下方へと案内され、このことによって、この折たたみ屋根が、前方の屋根領域でもって上方へと、および後方の屋根領域でもって下方へと旋回する。
この乗用自動車の内側壁に固定され、互いに同心的に位置された、側部材の延長部を回転滑り軸受によって強制案内する、２つの案内レールによって、座席グループの後ろの比較的に多くのスペースが、場合によってはトランク室内へ至るまで必要とされる。その他になお、多くの案内要素の傾倒は、開放、および閉鎖の際の都合の悪い力作用によって、排除可能でない。
【０００３】
ドイツ連邦共和国特許公開第４３  ２４  ７０８号明細書（特許文献２）は、車両、特に２座席のカブリオレのための降下可能な屋根を開示しており、
この降下可能な屋根が、
この屋根シェル体が、これら屋根ピラーでもって、先行して縦方向に、車体の側方の車内壁の間の格納室内へと進入可能である、屋根板および後方の屋根ピラーを備える屋根シェル体を有し、その後に、この屋根が、立ち上げられた状態で車両平面内において保持されており、
屋根ピラーによって側方で、および、この屋根によって上側で境界されている、窓開口部ためのリヤウインドーガラスを有し、および、
屋根シェル体およびリヤウインドーガラスの移動制御のための案内手段を有し、
その際、このリヤウインドーガラスが、このリヤウインドーガラスの使用位置から、屋根シェル体に対して相対的に不使用位置内へと移動制御されており、この不使用位置内において、このリヤウインドーガラスのウインドーガラス面が、この屋根シェル体に、僅かな間隔で向き合って位置している。
この屋根シェル体は、側方で格納室内において配設された摺動案内部を介して、降下制御されており、その際、これら摺動案内部が、このリヤウインドーガラスの案内手段に依存せずに、これら摺動案内部の所属して設けられた摺動案内手段を介して、長手方向に移動可能に、この屋根シェル体に軸受けされている。
【０００４】
この乗用自動車の内側壁に固定された、側部材を例えば回転滑り軸受またはピンによって強制案内する、２つの案内レールによって、座席グループの後ろの比較的に多くのスペースが、場合によってはトランク室内へ至るまで必要とされる。その他になお、多くの案内要素の傾倒は、開放、および閉鎖の際の都合の悪い力作用によって、排除可能でない。過度に高い面加圧が生じ、これら面加圧が、この屋根の動き難さを誘起する。
【０００５】
更に、ドイツ連邦共和国特許第４０  ３８  ０７４号明細書（特許文献３）により、屋根のリヤウインドーガラスのわきに延在し、側方から見てその前方に位置するこの屋根の長手方向領域と鈍角を形成する屋根ピラー、および、屋根が閉鎖された場合に、これら屋根ピラーの下側に位置する収容室内においてこの降下された屋根の保管位置を有する、車両ための降下可能な屋根、特にカブリオレのための硬質屋根が開示されており、この収容室内へと、この屋根が、降下の際に、これら屋根ピラーでもって、先行して縦方向に進入可能であり、その後に、この屋根が、急傾斜に立ち上げられた状態で、この収容室内において位置している。このリヤウインドーガラスは、屋根が閉鎖された場合に、このリヤウインドーガラスの屋根ピラーの間に存在する幅にわたってこの屋根の下側の閉鎖部を形成しており、且つ、この屋根の作動位置から保管位置内へと移送可能であり、この保管位置内において、このリヤウインドーガラスが、屋根が降下された場合に、これら屋根ピラーの下側の端部に対して垂直距離をおいて詰め込まれている。この屋根は、強制的な移動制御のために、連結棒装置でもって、この車両の車体に固定されており、この連結棒装置が、２つの、この車両の長手方向中央面に関連付けられて、鏡対称的な支持連結棒を備えており、これら支持連結棒の上側の端部が、所属して設けられた屋根ピラーにおける下側の端部領域内において枢着されており、且つ、少なくとも１つの、リヤウインドーガラスの傾斜ラインに対して平行に指向する案内連結棒を備えており、この案内連結棒が、このリヤウインドーガラスの上側で、屋根において、および、このリヤウインドーガラスの下側で、この車両の車体において枢着されている。
この公知の解決策の場合、乗客室の一部が、降下工程、および繰出し工程によって、しかしながら比較的に場所を取る連結棒装置の結果として必要とされる。この連結棒装置は、更に、機械的に手間暇がかかり、且つ従って故障が起き易い。
【０００６】
米国特許第２，１９１，２６９号明細書（特許文献４）から、カブリオレの後方の屋根支持体の無い降下可能な屋根が公知であり、この屋根の場合、比較的に小さな、および大きなローラーから成る進入および繰出し機構を介して、この屋根が、後方に、および部分的に座席グループの下方に、進入および繰出し可能である。この進入および繰出し機構は、ローラー駆動装置によって、極めて場所を取り、且つ、座席グループの後ろの全スペースを要求する。
【０００７】
従来技術の全ての公知の降下可能な屋根は、必要な構造剛性を、比較的に高い質量によって達成し、且つ、機械的な構造においては手間暇がかかり、および最終的に高価である。
【特許文献１】ドイツ連邦共和国特許公開第３６  ３２  ０５８号明細書
【特許文献２】ドイツ連邦共和国特許公開第４３  ２４  ７０８号明細書
【特許文献３】ドイツ連邦共和国特許第４０  ３８  ０７４号明細書
【特許文献４】米国特許第２，１９１，２６９号明細書
【発明の開示】
【発明が解決しようとする課題】
【０００８】
従って、この公知技術の条件のもとで、本発明の根底をなす課題は、冒頭に記載した様式の降下可能な屋根を、必要な構造剛性が、比較的に僅かな重量、易機能性、および機械的な簡単性並びに操作可能性において、同時の場所を取らない構造様式のもとで達成されるように改良することである。
【課題を解決するための手段】
【０００９】
この課題は、請求項１の典型的な特徴を有する、冒頭に記載した様式の屋根によって解決される。この屋根の有利な実施形態は、従属請求項から取り出し可能である。
【発明の効果】
【００１０】
本発明による屋根は、屋根部材および支持ピラーのための格納室が、座席グループのすぐ近くに至るまで敷設されており、その際、これら支持ピラーが、外側で、この座席グループの周りを案内された状態で配設されていることによって特徴付けられる。このことは、移動曲線に相応する格納室が、ほぼ、この屋根部材の包絡線の形状、即ち形態を与えられ、且つ、案内レールが、垂直方向に起立し、且つ車両長手軸線方向に対して平行に、強固に車体構造に装着された、支持板に配設されていることによって可能となる。この本発明による屋根は、単に２つの案内レール、即ち、それぞれの支持ピラーのための１つの案内レールが必要なだけである。このことによって、スペース、および重量は節約され、従って、しかもその上、リヤウインドーガラスのための別個の格納室のためのスペースが形成される。このリヤウインドーガラスは、完全に降下可能であり、且つ、屋根が降下された際に、風隔壁位置へと繰り出され得る。
【００１１】
本発明による屋根は、この屋根の僅かの質量にもかかわらず、高い構造剛性を達成し、閉鎖された状態において、強固に閉鎖されたクーペの快適性を、十分に提供する。この屋根は、場所を取らず、易機能的であり、および簡単に操作可能であり、且つ、制限無しに、自由な視界を後方に可能にする。この本発明による屋根は、２つに分割された構成であり、その際、前方の部材が、後方の部材の上を通過して摺動され、特に、２つの座席列を有するカブリオレに適している。
【００１２】
次に、２つの実施例において、本発明を詳しく説明する。
【発明を実施するための最良の形態】
【００１３】
【実施例１】
【００１４】
例えば２座席の図１において図示されているカブリオレにおいて、本発明による屋根１は使用される。この屋根は、屋根部材２、形状剛性なシェル体から成り、このシェル体の後方の角部に、強固に鈍角において下方へと整向され、且つ外方へと拡大された支持ピラー３が接続されている。これら支持ピラー３は、スリムで平らな支持体として形成されており、且つ、主として、支持する機能を引き受けている。この支持ピラー３の下側の端部４は、強固に接続された案内スライダー５を備えており、これら案内スライダーが、ローラーまたはスライダーシューを有している。これら案内スライダー５は、例えば、四角形または二重Ｔ字形のレール６の上を走行し、これらレールが、垂直方向に起立し、且つ車両長手軸線方向に対して平行に、強固に車体構造に装着された、支持板７に固定されている。それぞれの支持ピラー３は、それぞれに、ただ１つのレール６の上だけに、１つの案内スライダー５によって強制案内されている。これらレール６は磨耗少なく、且つ、硬質な表面を備えている。
これらレール６は、円弧形状の案内軌道ＦＢＫの上を、水平方向の横方向軸線ＱＤ  を中心にして指向しており、且つ、横で、座席グループ８において配設されている。両方のレール６に、格納室９が、座席グループ８の後ろに、所属して設けられており、この格納室の空間的な広がりは、降下もしくは外への移動に際のこの屋根部材２および支持ピラー３の移動曲線から与えられる。
【００１５】
格納室９に、第２の別個の格納室１０が前方に設けられた状態で位置しており、この格納室は、座席グループ８のすぐ後ろに位置している。この格納室１０は、台形形に繰出し方向において先細りに形成されているリヤウインドーガラス１１の収納の役目を果たす。このリヤウインドーガラス１１は、カブリオレの水平方向の横方向軸線ＱＨ  を中心にして、軽度に円弧形状に、または回転対称的に湾曲されている。このリヤウインドーガラスの凹状の側１２は、この座席グループ８に面しており、且つ、本発明により、転覆保護システム１３の周囲に配設されている。このリヤウインドーガラス１１のための格納室１０は、従って、同様に、侵入もしくは繰出しの際の、このリヤウインドーガラス１１の移動曲線に相応する空間的な広がりを有している。この格納室は、従って、同様に、円弧形状に、または回転対称的に横方向軸線ＱＨ  を中心にして指向している。
屋根１は、この屋根の前方の領域でもって、ウインドシールドガラスの上側のフレームに接続している。この屋根１の移動可能性は、公知の駆動装置によって行われ、且つ、完全に自動的に行われる。
【００１６】
屋根１のこの繰出された位置において、支持ピラー３は、付加的に、支持要素１４によって補強される。これら支持要素１４は、車体に、降下可能、傾倒可能、または回転可能に、または、これらピラーに、内方へと傾倒可能に配設されている。これら支持要素１４は、空気力学を最適化し、従って、空気抵抗、および風騒音を低減させ、且つ、それに加えて、この屋根のクーペのような形態を実現する。
図２において図示された屋根１の位置において、格納室９内へのこの屋根１の降下のための移動経過が開始している。支持ピラー３と屋根部材２との間の鈍角によって、この屋根部材２は、ウインドシールドガラスの上側のフレームから浮揚する。リヤウインドーガラス１１は、この実施例において、降下された位置において、格納室１０内において存在している。
【００１７】
屋根部材２および支持ピラー３は、更なる降下の際に、図３に示されているように、円弧形状に指向するレール６に沿って、これらの最終位置に至るまで移動する。これら支持ピラー３は、その際、これらレール６に沿って、側方で座席グループ８の傍らを通り過ぎる。
この屋根部材２は、降下工程の終了の後、この座席グループ８の背当て部に対してほぼ平行に位置する。
【００１８】
屋根部材２が、降下された位置内において、十分に、図示されていない駆動装置のためのスペースを残しておくために、この屋根部材２の後方のセグメント１５は、スライド屋根と同じように、この屋根部材２の前方の領域の下へ挿入されている。屋根部材の格納ケースをも含めて、この屋根部材２の押込み可能な領域は、車両の水平方向の横方向軸線ＱＤ  を中心にして、回転対称的に形成されており、このことによって、場所を取らない案内運動学的状況が、僅かな寸法および重量において達成される。
【００１９】
図４において、屋根の格納室９の透視図が図示されている。この格納室は、中間室２３および側方室２４から成っている。これら側方室２４は、ピラー、および屋根シェル体の側方縁部領域を収容する。この中間室２３は、コンパクトに形成されており、このことは、屋根シェル体の後方のセグメント１５が押込み可能に構成されていることによって達せられる。如何なる動力伝達系統のためのスペースもこの中間室２３の下側で必要ではない前輪駆動装置を有する車両のために、屋根部材２は、如何なる押込み可能な後方のセグメント１５も備えていない。
【００２０】
図５は、リヤウインドーガラス１１を、風隔壁（Windschott）として、繰出された位置において示している。このリヤウインドーガラスは、格納室１０内において、ドア内における側面ガラスと同じように降下可能である。
図６において透視的に図示されているように、屋根１が閉鎖された場合、このリヤウインドーガラス１１は、車体表面に装着されている封隙条片に対して押圧する。このリヤウインドーガラス１１は、しかしながら同様に、選択的に、封隙条片によって縁取られていても良い。
【００２１】
図７ａおよび７ｂは、案内スライダー５の２つの異なる実施形態の変形を示している。
この案内スライダー５は、４つのローラー１６でもって、レール６に案内され、且つ、支持ピラー３の下側の端部において、強固に装着されており、その際、この案内スライダー５が、回転点Ｐを中心にして微細に調節され得る。
図７ａは、この支持ピラー３の下側の端部４のコンパクトな形態を可能にする、１つの実施形態の変形が図示されている。
横方向において、この案内スライダー５は、この支持ピラー３の手前に位置している。
図７ｂは、この案内スライダー５を、この支持ピラー３の下側の端部４と同じ面内において示しており、その際、この案内スライダー５の支持ピラー３との結合が、横方向において極めてコンパクトに構成されている。
【００２２】
図８は、実施例１の更に別の変形において、屋根の前方の部分内への転覆保護システム１３の統合を示しており、この屋根が、完全には降下されずに、且つ格納室から突出している。
この屋根の上を通過して摺動された前方の屋根部材２のカバー１７は、この格納室内へと挿入され、且つ、形成された開口部を通して、自由な視界を後方に可能にする。
リヤウインドーガラス１１は、ここで、有利には、屋根シェル体内において案内されており、且つ、この屋根開口部内において、風隔壁位置内へと移動され得る。
この屋根のための格納室の構成は、押込み可能な後方の屋根部材を必要としないほどにコンパクトである。
【実施例２】
【００２３】
図９において、多数座席のカブリオレの長手方向断面が図示されており、このカブリオレの場合、屋根１の屋根部材２が、２つの部材から成るように構成されており、その際、屋根の両方の部材１８および１９が、重なり合って摺動可能である。この相違を除いて、本発明による屋根は、この実施例１の屋根に相応している。
この後方の屋根部材１９の上を通過する前方の屋根部材１８の移送は、図１０に図示されているように、本発明により、２つの段階において行われる。
第１の段階において、継手ＬＮ  およびＬＭ  は、従って、回転点ＮおよびＭにおいて、この前方の屋根部材に対して関節運動可能に、屋根案内スライダーＴにおいて配置された点ＮＯ  およびＭＯ  が、最終位置Ｎ１  およびＭ１  に到達するまで、回転される。ＬＮ  およびＬＭ  の長さの相違によって、屋根案内スライダーＴの回転が、角度αだけ達成される。第２の段階において、その場合に、この屋根案内スライダーＴは、強固にこの前方の屋根部材１８の内において設けられている、曲率半径ＲＶ  を有する案内レールＳに沿って、この前方の屋根部材の前方のストッパに至るまで走行する。屋根部材１８および１９の場所を取らない入れ子状態を、重なり合って可能とするために、この前方の屋根部材の曲率半径ＲＶ  は、ストロークＨだけ、この後方の屋根部材１９の曲率半径ＲＨ  よりも、より大きい。これら屋根部材１８および１９の接合面Ｋの形状は、移動経過から与えられ、且つ、連結および解離が、ただ回転だけによって可能とされる。
【００２４】
図１１は、屋根部材の閉鎖された位置決め状態、および開始された降下工程を示している。案内スライダー５は、この実施例の場合、支持ピラー３の下側の端部４において、強固に装着されてなく、更に多くの場所を取らない運動学的状況を得るために、むしろ、回転可能に装着されている。案内レール６に沿ってのこの屋根の移動の際、この屋根は、点Ｐを通る水平方向の横方向軸線を中心にして回転される。この回転は、図１２において図示されているように、強固にこの支持ピラー３の下側の端部４に装着された、支持板７に強固に配設された回転案内軌道２１、２２、等、内において強制案内されているピン２０を介して行われる。簡略化した状態で、図１２において、１つの真っ直ぐの案内レールにおける回転が示されている。これらピン２０は、点Ｐを中心にして、円形に、相互に角度β毎に配設されている。区間Ａを移動した際、回転案内軌道２１の強制案内によって、この屋根は、角度βだけ回転される。その際、案内状態のピンは、次のピンが、後に続く回転案内軌道２２内へと係合した後に、この回転を連続的に更に先へ続けるために、回転案内軌道２１から離れる。これら回転案内軌道２１および２２は、この実施例において、トロコイドの形状を有している。適当な幾何学的なパラメータの選択において、このトロコイド部分は、無視可能にほんの少しだけ直線から逸脱しており、且つ、このような直線に置換されることが可能であり、従って、コストの安い製造が可能とされる。円形の案内レール６の場合、これら回転案内軌道２１、および２２の形状は、適当に円形セグメント状に形作られる。幾何学的なパラメータの変化によって、異なる回転速度が得られる。
支持ピラー３の下側の端部４における、これらピン２０の装着は、図７ａに図示されているような、案内スライダー５の実施形態を許容する。
図１３は、ローラー１６によってレール６に、および、回転案内軌道２１内において案内されたピン２０によって強制案内されている、案内スライダーの配設を示している。
【００２５】
図１４ａ、および図１４ｂは、格納室内において配設された屋根を、降下された位置において示している。
【図面の簡単な説明】
【００２６】
【図１】閉鎖された屋根、および円弧形状の案内軌道を有する、２座席のカブリオレの長手方向断面図である。
【図２】降下工程の開始における、カブリオレの長手方向断面図である。
【図３】降下工程、および、繰出されたリヤウインドーガラスの終わりにおける、車両の更に別の長手方向断面図である。
【図４】屋根のための格納室の透視図である。
【図５】風隔壁位置における繰出されたリヤウインドーガラスを有する、車両の透視図である。
【図６】閉鎖された屋根を有する、車両の透視図である。
【図７ａ】支持ピラーの下側の端部の幅のコンパクトな構成、および４つのローラーを有する、支持スライダーの１つの構成の変形の図である。
【図７ｂ】横方向における、支持ピラーの下側の端部のコンパクトな構成、および４つのローラーを有する、支持スライダーの更に別の構成の変形の図である。
【図８】部分的に降下された屋根、および、屋根に一体にまとめられた転覆保護システムを有する、車両の透視図である。
【図９】閉鎖された屋根、および円弧形状の案内軌道を有する、多数座席のカブリオレの長手方向断面図である。
【図１０】多数座席のカブリオレの前方および後方の屋根部材の接合位置の長手方向断面図である。
【図１１】降下工程の開始における、多数座席のカブリオレの長手方向断面図である。
【図１２】多数座席のカブリオレの屋根の回転案内部の図である。
【図１３】多数座席のカブリオレのための回転案内部を有する、支持スライダーの図である。
【図１４ａ】降下された屋根、および、案内レールの図示を有する、多数座席の車両の長手方向断面図である。
【図１４ｂ】降下された屋根、および、リヤウインドーガラス装置、およびこの屋根のための格納室の図示を有する、多数座席の車両の長手方向断面図である。
【符号の説明】
【００２７】
１    屋根
２    屋根部材
３    支持ピラー
４    支持ピラー３の下側の端部
５    案内スライダー
６    レール
７    支持板
８    座席グループ
９    屋根部材および支持ピラーのための格納室
１０  リヤウインドーガラス１１のための格納室
１１  リヤウインドーガラス
１２  リヤウインドーガラス１１の凹状の側
１３  転覆保護システム
１４  支持要素
１５  セグメント部材１５
１６  案内スライダー５のローラー
１７  前方の屋根部材における蓋／カバー
１８  前方の屋根部材
１９  後方の屋根部材
２０  ピン
２１、２２  回転案内軌道
２３  格納室９の中間室
２４  格納室９の側方室
Ａ    区間
ＦＢＫ  円弧形状の案内軌道
Ｎ１  、Ｍ１    持上げ工程の後の、屋根スライダーＴにおける回転点の最終位置
Ｈ    前方の屋根部材１８のストローク
ＬＮ  、ＬＭ    継手
ＮＯ  、ＭＯ    持上げ工程の前の、屋根スライダーＴにおける回転点の位置
Ｐ    案内スライダー５における屋根の回転点
ＱＤ    円弧形状のレール６の中心点
ＱＨ    円弧形状のリヤウインドーガラスの中心点
ＲＶ    前方の屋根部材の曲率半径
ＲＨ    後方の屋根部材の曲率半径
Ｔ    屋根案内スライダー
Ｓ    前方の屋根部材１８の案内レール
α    持上げ工程の際の、前方の屋根部材１６の回転角度
β    回転角度
【図１】
2005519803.tif 000003
【図２】
2005519803.tif 000004
【図３】
2005519803.tif 000005
【図４】
2005519803.tif 000006
【図５】
2005519803.tif 000007
【図６】
2005519803.tif 000008
【図７ａ】
2005519803.tif 000009
2005519803.tif 000010
2005519803.tif 000011
【図７ｂ】
2005519803.tif 000012
2005519803.tif 000013
2005519803.tif 000014
【図８】
2005519803.tif 000015
【図９】
2005519803.tif 000016
【図１０】
2005519803.tif 000017
【図１１】
2005519803.tif 000018
【図１２】
2005519803.tif 000019
【図１３】
2005519803.tif 000020
【図１４ａ】
2005519803.tif 000021
【図１４ｂ】
2005519803.tif 000022
【国際調査報告】
2005519803.tif 000023
2005519803.tif 000024
2005519803.tif 000025
2005519803.tif 000026
2005519803.tif 000027
2005519803.tif 000028